(57)【要約】【課題】スリープモードを用いつつセンサノードを稼動させても、システム全体の応答性がよい無線通信システムを実現することにある。【解決手段】バッテリで駆動し、所定の周期でスリープモードからアクティブモードになりデータ収集を行なうセンサノードと、このセンサノードと無線通信でデータの送受信を行なう基地局と、この基地局と無線通信または有線通信でデータの送受信を行なう監視装置とを設け、そして、基地局は、監視装置からのコマンドを記憶する記憶手段と、コマンドを受信したことを監視装置に返信し、センサノードからの要求によって記憶手段のコマンドをセンサノードに送信するプロキシ手段とを有することを特徴とするものである。【選択図】図１
2006287918.tif 000002
【特許請求の範囲】
【請求項１】
バッテリで駆動し、所定の周期でスリープモードからアクティブモードになりデータ収集を行なうセンサノードと、
このセンサノードと無線通信でデータの送受信を行なう基地局と、
この基地局と無線通信または有線通信でデータの送受信を行なう監視装置と
を設け、
前記基地局は、
前記監視装置からのコマンドを記憶する記憶手段と、
前記コマンドを受信したことを監視装置に返信し、前記センサノードからの要求によって前記記憶手段のコマンドを前記センサノードに送信するプロキシ手段と
を有することを特徴とする無線通信システム。
【請求項２】
センサノードは、アクティブモード時に前記基地局にコマンドの送信を要求し、コマンドが送信されないとスリープモードにはいることを特徴とする請求項１記載の無線通信システム。
【請求項３】
センサノードは、アクティブモード時に前記基地局にコマンドの送信を要求し、送信されたコマンドを処理した後にスリープモードにはいることを特徴とする請求項１または２記載の無線通信システム。
【請求項４】
基地局の記憶手段は、前記センサノードからのデータを記憶し、
基地局のプロキシ手段は、前記監視装置からの要求によって前記記憶手段のデータを前記監視装置に送信することを特徴とする請求項１〜３のいずれかに記載の無線通信システム。
【請求項５】
基地局は、
前記センサノードからのデータに、データを受信した時刻を付加する時刻出力手段を有することを特徴とする請求項１〜４のいずれかに記載の無線通信システム。
【請求項６】
基地局のプロキシ手段は、
前記監視装置に送信するデータに、前記センサノードがアクティブモードになるタイミングを付加することを特徴とする請求項５記載の無線通信システム。
【請求項７】
基地局のプロキシ手段は、
前記コマンドを受信したことを監視装置に返信する際に、前記センサノードがアクティブモードになるタイミングを付加することを特徴とする請求項５または６記載の無線通信システム。
【発明の詳細な説明】
【技術分野】
【０００１】
本発明は、センサノードと監視装置とが基地局を介して通信を行ない、基地局とセンサノード間が無線通信である無線通信システムに関するものであり、詳しくは、スリープモードを用いつつセンサノードを稼動させても、システム全体の応答性がよい無線通信システムに関するものである。
【背景技術】
【０００２】
図１０は、従来の無線ネットワークのトポロジーを示した構成図である（例えば、特許文献１参照）。センサノード１０（１）〜１０（ｎ）は、各種センサ（例えば、温度センサ、圧力センサ、スイッチの開閉状態を確認するセンサ、測定対象機器の動作状態を測定するセンサ等）が実装され、内蔵するバッテリによって動作する。
【０００３】
基地局２０は、センサノード１０（１）〜１０（ｎ）よりも上位のノードであり、センサノード１０（１）〜１０（ｎ）と無線により接続され、データの送受信を行う。基地局２０の電源は、ラインパワーを始め、電源不足となって稼動が停止することが無いように構成され、センサノード１０（１）〜１０（ｎ）に比べ制約が緩い条件になっており、トランシーバおよびレシーバは常にオンの状態であり、データの送受信が常時可能である。
【０００４】
なお、センサノード１０（１）〜１０（ｎ）同士で通信を行なうことはなく、必ず基地局２０を経由して通信を行なう。いわゆるスター型のトポロジーで構成されている。
【０００５】
監視装置３０は、基地局２０よりも上位のノードであり、無線または有線によって基地局２０と接続される。また、監視装置３０は、直接センサノード１０（１）〜１０（ｎ）と通信を行なうことはなく、基地局２０を介してセンサノード（１）〜１０（ｎ）と通信を行ない、センサノード１０（１）〜１０（ｎ）の収集した情報を取得し、情報の保存、情報処理、情報の表示や、センサノード１０（１）〜１０（ｎ）に対して所望の処理を行なわせ、処理結果を受け取る。監視装置３０も、基地局２０と同様に電源不足とならないように電力が供給され、データの送受信が常時可能である。
【０００６】
このような装置の動作を図１１を用いて説明する。図１１は、図１０に示すシステムの動作を示したシーケンス図である。まず、センサノード１０（１）〜１０（ｎ）が、一定の間隔で所定の処理を行なう動作から説明する。
【０００７】
センサノード１０（１）〜１０（ｎ）が、所定の周期でデータ収集を行い（ＳＱ１）、収拾したデータ、自機器の情報、自機器の状態等の必要な情報をセンサ情報として、基地局２０を介して監視装置３０に送信する（ＳＱ２，ＳＱ３）。そして、監視装置３０が、センサ情報の情報処理を行い、処理結果を表示画面に表示したり、記憶手段に記憶する（ＳＱ４）。一方、センサノード１０（１）〜１０（ｎ）が、次のデータ収集のタイミングまで待機し、データ収集を再度行なう（ＳＱ５、ＳＱ１）。
【０００８】
次に、上述した所定の周期で行なうシーケンス（ＳＱ１〜ＳＱ５）の間に、上位装置側からデータ収集ＳＱ１のタイミングとは非同期に所定の処理を行なうようにセンサノード１０（１）〜１０（ｎ）へ指示が行なわれる場合の動作を説明する。
【０００９】
オペレータが、監視装置３０の入力装置から、センサノード１０（１）〜１０（ｎ）に処理させるためのコマンドを入力する（ＳＱ６）。そして、監視装置３０が、基地局２０を介してセンサノード１０（１）〜１０（ｎ）に送信する（ＳＱ７、ＳＱ８）。さらに、センサノード１０（１）〜１０（ｎ）が、コマンドで指示された内容のコマンド処理を行い（ＳＱ９）、処理結果を基地局２０を介して監視装置３０に送信する（ＳＱ１０，ＳＱ１１）。そして、監視装置３０が、処理結果を表示画面に表示したり、記憶手段に記憶する（ＳＱ１２）。
【００１０】
【特許文献１】特開２００４−３１２０６９号公報
【発明の開示】
【発明が解決しようとする課題】
【００１１】
センサノード１０（１）〜１０（ｎ）は、所定の位置（例えば、プラント、オフィス、自動車等の被測定対象物）に設けられ、携帯電話やＰＤＡのように持ち運びされないことが多い。そのため、携帯電話やＰＤＡのようにバッテリ充電を容易に行なうことができず、バッテリそのものを交換する必要があり、メンテナンスに手間、コストがかかる。
【００１２】
従って、バッテリ駆動のセンサノード１０（１）〜１０（ｎ）を長時間動作させることが非常に重要であり、通常スリープ機能が使用される。データ収集、センサ情報の作成等の情報処理を行なっていない間や基地局２０との通信等を行なっていない間は、センサノード１０（１）〜１０（ｎ）をスリープモードに入れ、次のデータ収集のタイミングになる前に起床しアクティブモードにする。そして、これらの動作を繰り返す。
【００１３】
スリープモードになる時間は、センサノード１０（１）〜１０（ｎ）の特性や無線通信システム全体の特性によって決定される。例えば、被測定対象の変化が大きい場合は、データの収集周期を短く設定しなければならずスリープ時間も短くなり、バッテリの消耗が大きく動作時間が短くなる。逆に、変化が小さい場合は、データの収集周期を長く設定できるのでスリープ時間も長くなり、バッテリの消耗を抑え長時間動作できる。このように、スリープモードになる時間は、データ収集の頻度とバッテリ寿命のトレードオフで決定される。
【００１４】
しかしながら、監視装置３０から非同期にコマンドが送信される場合（ＳＱ６〜ＳＱ８）、センサノード１０（１）〜１０（ｎ）は、常にデータを受信できるような待ち受け状態になっていなくてはならず、少なくともレシーバ等の受信回路は、常に動作している必要があり、バッテリ消耗の原因となる。また、センサノード１０（１）〜１０（ｎ）において、無線送受信回路がもっとも多くの電力を消費する。従って、センサノード１０（１）〜１０（ｎ）を長時間稼動させることが困難という問題があった。
【００１５】
なお、監視装置３０からのコマンドは、基地局２０が一時受け付けて、センサノード１０（１）〜１０（ｎ）がアクティブモードになってから無線通信を行なうこともできる。しかしながら、センサノード１０（１）〜１０（ｎ）のスリープ時間が長い場合、処理結果が戻ってくる（ＳＱ１０〜ＳＱ１２）までに応答時間がかかり、システム全体の応答性が悪くなるという問題があった。さらに、監視装置３０側では、センサノード１０（１）〜１０（ｎ）がスリープモードなので応答が無いのか、異常（例えば、センサノード１０（１）〜１０（ｎ）の故障、通信エラー）が発生しているのか判断がつかないという問題があった。
【００１６】
そこで本発明の目的は、スリープモードを用いつつセンサノードを稼動させても、システム全体の応答性がよい無線通信システムを実現することにある。
【課題を解決するための手段】
【００１７】
請求項１記載の発明は、
バッテリで駆動し、所定の周期でスリープモードからアクティブモードになりデータ収集を行なうセンサノードと、
このセンサノードと無線通信でデータの送受信を行なう基地局と、
この基地局と無線通信または有線通信でデータの送受信を行なう監視装置と
を設け、
前記基地局は、
前記監視装置からのコマンドを記憶する記憶手段と、
前記コマンドを受信したことを監視装置に返信し、前記センサノードからの要求によって前記記憶手段のコマンドを前記センサノードに送信するプロキシ手段と
を有することを特徴とするものである。
【００１８】
請求項２記載の発明は、請求項１記載の発明において、
センサノードは、アクティブモード時に前記基地局にコマンドの送信を要求し、コマンドが送信されないとスリープモードにはいることを特徴とするものである。
請求項３記載の発明は、請求項１または２記載の発明において、
センサノードは、アクティブモード時に前記基地局にコマンドの送信を要求し、送信されたコマンドを処理した後にスリープモードにはいることを特徴とするものである。
請求項４記載の発明は、請求項１〜３のいずれかに記載の発明において、
基地局の記憶手段は、前記センサノードからのデータを記憶し、
基地局のプロキシ手段は、前記監視装置からの要求によって前記記憶手段のデータを前記監視装置に送信することを特徴とするものである。
【００１９】
請求項５記載の発明は、請求項１〜４のいずれかに記載の発明において、
基地局は、
前記センサノードからのデータに、データを受信した時刻を付加する時刻出力手段を有することを特徴とするものである。
請求項６記載の発明は、請求項５記載の発明において、
基地局のプロキシ手段は、
前記監視装置に送信するデータに、前記センサノードがアクティブモードになるタイミングを付加することを特徴とするものである。
請求項７記載の発明は、請求項５または６記載の発明において、
基地局のプロキシ手段は、
前記コマンドを受信したことを監視装置に返信する際に、前記センサノードがアクティブモードになるタイミングを付加することを特徴とするものである。
【発明の効果】
【００２０】
本発明によれば、以下のような効果がある。
請求項１〜７によれば、監視装置からセンサノードへのコマンドを、基地局の記憶手段が格納し、基地局のプロキシ手段が、コマンドを受信したことを監視装置に返信する。一方、センサノードが、アクティブモード時に、監視装置からのコマンドが存在するかを基地局に問い合わせてからスリープモードにはいる。これにより、スリープモードを用いつつセンサノードを稼動させても、システム全体の応答性をよくすることができる。さらに、監視装置側から、異常等が発生しているか否かの状態を判別することができる。
【００２１】
請求項４によれば、基地局の記憶手段が、センサノードからのデータを格納する。そして、監視装置からデータの送信を要求されると、基地局のプロキシ手段が、記憶手段のデータを監視装置に送信するので、監視装置の負荷が分散される。また、監視装置での情報処理が容易となる。
【００２２】
請求項５によれば、時刻出力手段が、センサノードからのデータを受信した時刻を受信データに付加し、監視装置に時刻付きのデータを送信する。これにより、監視装置が、受信したデータがどの程度新しいか、どの程度経過したデータかを判断することができる。
【００２３】
請求項６によれば、プロキシ手段が、センサノードの起床時刻をセンサノードからのデータに付加して監視装置に送信するので、監視装置が、最新のデータを取得できる時刻を判断することができ、無駄なデータ伝送を抑えることができる。
【００２４】
請求項７によれば、プロキシ手段が、センサノードの起床時刻を付加して、コマンドを受信したことを監視装置に送信するので、監視装置が、自身の送信したコマンドに対する処理結果がいつ実行されるか判断することができる。これにより、コマンドに対する応答をどの程度待てばよいか判断でき、管理アプリケーションの構築や作成が容易になる。
【発明を実施するための最良の形態】
【００２５】
以下図面を用いて本発明の実施の形態を説明する。
［第１の実施例］
図１は、本発明の第１の実施例を示した構成図である。ここで、図１０と同一のものには同一符号を付し説明を省略する。図１において、基地局２０の代わりに基地局４０が設けられる。基地局４０は、通信手段４１、記憶手段４２、プロキシ手段４３を有し、センサノード１０（１）〜１０（ｎ）と無線通信を行なってデータの送受信を行ない、監視装置３０と無線通信または有線通信を行なってデータの送受信を行なう。
【００２６】
また、基地局４０は、センサノード１０（１）〜１０（ｎ）よりも上位のノードであり、監視装置３０よりも下位のノードである。そして、基地局４０の電源は、ラインパワーを始め、電源不足となって稼動が停止することが無いように構成され、センサノード１０（１）〜１０（ｎ）に比べ制約が緩い条件になっており、トランシーバおよびレシーバは常にオンの状態であり、データの送受信が常時可能である。
【００２７】
通信手段４１は、トランシーバおよびレシーバ等を有し、センサノード１０（１）〜１０（ｎ）、監視装置３０と通信を行なう。記憶手段４２は、通信手段４１と内部バスで相互に接続され、センサノード１０（１）〜１０（ｎ）からのセンサ情報や監視装置３０からのコマンドを記憶、すなわちキューイングしてキャッシュを行なう。プロキシ手段４３は、通信手段４１、記憶手段４２と内部バスで相互に接続され、監視装置３０からコマンドを受信すると、受信したこと示すデータを受信結果として出力する。
【００２８】
このような装置の動作を図２を用いて説明する。図２は、図１に示すシステムの動作の一例を示したシーケンス図であり、センサノード１０（１）〜１０（ｎ）が、一定の間隔で所定の処理を行なう動作から説明する。
【００２９】
センサノード１０（１）〜１０（ｎ）が、所定の周期でデータ収集を行い（ＳＱ１）、収拾したデータ、自機器の情報、自機器の状態等の必要な情報をセンサ情報として、基地局４０の通信手段４１を介して監視装置３０に送信する（ＳＱ２，ＳＱ３）。そして、監視装置３０が、センサ情報の情報処理を行い、処理結果を表示画面に表示したり、記憶手段に記憶する（ＳＱ４）。ここまでは、図１１に示す装置と同様である。
【００３０】
そして、センサノード１０（１）〜１０（ｎ）が、センサ情報の出力後（ＳＱ２）に、コマンドチェックを要求するコマンドを基地局４０に出力する（ＳＱ１３）。このコマンドチェックの要求によって、基地局４０のプロキシ手段４３が、記憶手段４２に監視装置３０からのコマンドが格納されているかを確認し（ＳＱ１４）、コマンドが格納されていないければ、格納されていないという検索結果を通信手段４１を介してセンサノード１０（１）〜１０（ｎ）に出力する（ＳＱ１５）。
【００３１】
この検索結果、すなわちコマンドが送信されない場合、センサノード１０（１）〜１０（ｎ）が、スリープモードに入り（ＳＱ１６）、次のデータ収集のタイミングになると起床して、データ収集を再度行なう（ＳＱ５、ＳＱ１）。
【００３２】
なお、スリープモードでは、センサノード１０（１）〜１０（ｎ）内のデバイス（例えば、ＣＰＵ、トランシーバ、レシーバ等）が、再起動用に必要な電力しか消費しないため（例えば、作業するために最低限必要な電圧まで下げたり、動作周波数を下げる等）、センサノード１０（１）〜１０（ｎ）内のデバイスの電力消費が低減される。そしてアクティブモードになる場合には、スリープモードを脱出してデバイスを元の状態に戻したり、再起動等する。
【００３３】
次に、図３を用いて、上述した所定の周期で処理を行なうシーケンス（ＳＱ１〜ＳＱ５）とは別に、上位装置側からデータ収集ＳＱ１のタイミングとは非同期に所定の処理を行なうようにセンサノード１０（１）〜１０（ｎ）へ指示が行なわれる場合の動作を説明する。図３は、図１に示すシステムの動作のその他の例を示したシーケンス図である。
【００３４】
オペレータが、監視装置３０の入力装置から、センサノード１０（１）〜１０（ｎ）に処理させるためのコマンドを入力する（ＳＱ１７）。そして、監視装置３０が、基地局４０に送信する（ＳＱ１８）。基地局４０の通信手段４１が、受信したコマンドを記憶手段４２にキューイングし（ＳＱ１９）、プロキシ手段４２に受信したことを知らせる。そして、プロキシ手段４２が、コマンドを受け付けたことだけを通信手段４１を介して監視装置３０に返信する（ＳＱ２０）。さらに、監視装置３０が、基地局４０から受信した処理結果を表示画面に表示したり、図示しない記憶手段に記憶する（ＳＱ２１）。
【００３５】
一方、センサノード１０（１）〜１０（ｎ）が、図２と同様にセンサ情報の出力後（ＳＱ２）に、コマンドチェックを依頼するコマンドを基地局２０に出力する（ＳＱ１３）。このコマンドチェックの要求によって、基地局２０のプロキシ手段４３が、記憶手段４２に監視装置３０からのコマンドが格納されているかを確認し（ＳＱ１４）、格納されているコマンドを通信手段４１を介してセンサノード１０（１）〜１０（ｎ）に出力する（ＳＱ１５）。
【００３６】
さらに、センサノード１０（１）〜１０（ｎ）が、コマンドで指示された内容のコマンド処理を行い（ＳＱ２２）、処理結果を基地局４０を介して監視装置３０に送信する（ＳＱ２３，ＳＱ２４）。そして、監視装置３０が、処理結果を表示画面に表示したり、記憶手段に記憶する（ＳＱ２５）。さらに、センサノード１０（１）〜１０（５）が、処理結果を送信後に図２と同様にスリープモードに入る（ＳＱ１６）。
【００３７】
このように、監視装置３０からセンサノード１０（１）〜１０（ｎ）へのコマンドを、基地局４０が、記憶手段４２にキューイングしてキャッシュすると共に、プロキシ手段４３が、コマンドを受信したことを監視装置３０に返信する。一方、センサノード１０（１）〜１０（ｎ）が、アクティブモード時に、監視装置３０からのコマンドが存在するかを基地局４０に問い合わせ、コマンドが無ければスリープモードに入り、コマンドが有ればコマンド処理後にスリープモードにはいる。これにより、スリープモードを用いつつセンサノードを稼動させても、システム全体の応答性をよくすることができる。さらに、監視装置３０側から、異常等が発生しているか否かの状態を判別することができる。
【００３８】
続いて、図４は、図１に示すシステムの動作のその他の例を示したシーケンス図である。図２では、基地局４０が、センサノード１０（１）〜１０（ｎ）からのセンサ情報を受信すると直ちに監視装置３０に送信する例を示したが、基地局４０が、、センサノード１０（１）〜１０（ｎ）からのセンサ情報を一旦キャッシュする例を示している。ここで、図２と同一のものには同一符号を付し、説明を省略する。また、シーケンスＳＱ１３〜ＳＱ１５の図示も省略する。
【００３９】
センサノード１０（１）〜１０（ｎ）が、所定の周期でデータ収集を行なって（ＳＱ１）センサ情報を基地局４０に送信する（ＳＱ２）。基地局４０の通信手段４１が、受信したセンサ情報を記憶手段４２にキャッシュする（ＳＱ２６）。
【００４０】
オペレータが、所望のタイミングで、監視装置３０の入力装置にセンサ情報の送信要求を入力する（ＳＱ２７）。そして、監視装置３０が、送信要求を基地局４０に送信する（ＳＱ２８）。この送信要求によって基地局４０のプロキシ手段４２が、記憶手段４２に格納されたセンサ情報のなかから、監視装置３０に送信していないセンサ情報を検索して読み出し（ＳＱ２９）、通信手段４２に監視装置３０へセンサ情報を送信させる（ＳＱ３０）。さらに、監視装置３０が、基地局４０から受信したセンサ情報の情報処理を行い、処理結果を表示画面に表示したり、記憶手段に記憶する（ＳＱ３１）。
【００４１】
もちろん、図３においても、図４と同様に、センサ情報を一旦基地局４０がキャッシュし、監視装置３０からの要求によってセンサ情報を送信してもよい。
【００４２】
このように、基地局４０の記憶手段４２が、センサノード１０（１）〜１０（ｎ）からのセンサ情報を一旦格納する。そして、監視装置３０からセンサ情報の送信を要求されると、プロキシ手段４３が、記憶手段４２のセンサ情報を監視装置３０に送信するので、監視装置３０の負荷が分散される。また、監視装置３０での情報処理が容易となる。
【００４３】
例えば、監視装置３０は、他システムとの通信やシステム全体の管理を行なうので負荷が高い状態や低い状態があるが、監視装置３０からの要求によって基地局４０がセンサ情報を監視装置３０に送信する。これにより、監視装置３０が自機器の負荷状況を考慮し、負荷の低いときにセンサ情報を受信することができ、負荷の分散を行なうことができる。
【００４４】
また、センサノード１０（１）〜１０（ｎ）のデータ収集周期が１秒程度であり、監視装置３０での情報処理が数分間隔程度で十分な場合、図２の例では、１秒ごとに通信が行なわれ通信経路上の伝送量が多くなるが、図４の例では、通信が行なわれるのが数分間隔で済み、監視装置３０の負荷が分散される。また、監視装置３０でも、情報処理する間隔を監視装置３０側で設定でき、情報処理が容易となる。
【００４５】
［第２の実施例］
図５は、本発明の第２の実施例を示した構成図である。ここで、図１と同一のものには同一符号を付し、説明を省略する。図５において、基地局４０に、時刻出力手段４４が新たに設けられ、内部バスで、通信手段４１、記憶手段４２、プロキシ手段４３と相互に接続される。時刻出力手段４４は、時刻を出力し、センサノード１０（１）〜１０（ｎ）からのセンサ情報に、このセンサ情報を受信した時刻を付加する。
【００４６】
このような装置の動作を図６を用いて説明する。図５に示す装置は、図１に示す装置の動作とほぼ同様であるが、異なる動作は、基地局４０がセンサ情報に時刻を付加し、付加したセンサ情報を監視装置４０に送信する点が異なる。具体的には、基地局４０の通信手段４１が、受信したセンサ情報を記憶手段４２にキャッシュする際に、時刻出力手段４４が、センサ情報を受信した時刻を、センサ情報に付加する（ＳＱ２６’）。そして、基地局４０のプロキシ手段４２が、時刻が付加されたセンサ情報を検索して読み出し（ＳＱ２９’）、時刻が付加されたセンサ情報を、通信手段４２によって監視装置３０へ送信させる（ＳＱ３０’）。
【００４７】
このように、時刻出力手段４４が、基地局４０で受信した時刻をセンサ情報に付加し、監視装置３０が、時刻付きのセンサ情報を受信する。これにより、監視装置３０が、受信したセンサ情報がどの程度新しいか、どの程度経過したデータかを判断することができる。
【００４８】
［第３の実施例］
図７は、本発明の第３の実施例を示した構成図である。ここで、図５と同一のものには同一符号を付し、説明を省略する。図５において、基地局４０に、起床時刻テーブル４５が新たに設けられ、内部バスで、通信手段４１、記憶手段４２、プロキシ手段４３、時刻出力手段４４と相互に接続される。起床時刻テーブル４５は、第２の記憶手段であり、各センサノード１０（１）〜１０（ｎ）が起床してデータ収集する周期、すなわちスリープモードからアクティブモードになる周期を記憶する。
【００４９】
このような装置の動作を図８、図９を用いて説明する。図７に示す装置は、図５に示す装置の動作とほぼ同様であるが、異なる動作は、プロキシ手段４３が、センサ情報を監視装置３０に出力する際に、起床時刻テーブル４５のデータ収集周期、時刻出力手段４６が出力する時刻を参照し、センサノード１０（１）〜１０（ｎ）が次に起床する時刻を付加して送信する点が異なる。また、プロキシ手段４３が、コマンドを受信したことを示す受信結果を監視装置３０に出力する際に、起床時刻テーブル４５のデータ収集周期、時刻出力手段４６が出力する時刻を参照し、センサノード１０（１）〜１０（ｎ）が次に起床する時刻を付加して送信する点が異なる。
【００５０】
具体的には、基地局４０のプロキシ手段４２が、通信手段４２に監視装置３０へ時刻が付加されたセンサ情報を送信させるが、センサ情報に対応するセンサノード１０（１）〜１０（ｎ）が起床するタイミングの時刻を、起床時刻テーブル４５のデータ収集周期、時刻出力手段４６が出力する時刻から求め、起床時刻と受信時刻が付加されたセンサ情報とを組して送信させる（図８、図９のＳＱ３０’’）。
【００５１】
また、プロキシ手段４２が、コマンドを受け付けたことを示す受信結果に、このコマンド先のセンサノード１０（１）〜１０（ｎ）が起床するタイミングの時刻を、起床時刻テーブル４５のデータ収集周期、時刻出力手段４６が出力する時刻から求め、起床時刻と受信時刻が付加されたセンサ情報とを組して通信手段４１を介して監視装置３０に返信する（図９のＳＱ２０’、ＳＱ２１’）。
【００５２】
このように、プロキシ手段４３が、センサノード１０（１）〜１０（ｎ）の起床時刻をセンサ情報に付加して監視装置３０に送信するので、監視装置３０が、最新のデータが取得できる時刻を判断することができる。例えば、センサノード１０（１）〜１０（ｎ）のスリープ時間が非常に長い場合であっても、新たなデータ収集が行なわれる前に、監視手段３０がセンサ情報の送信要求をするといった動作を防ぐことができ、無駄なデータ伝送を抑えることができる。
【００５３】
また、プロキシ手段４３が、センサノード１０（１）〜１０（ｎ）の起床時刻を受信結果に付加して監視装置３０に送信するので、監視装置３０が、自身３０が送信したコマンドに対する処理結果がいつ実行されるか判断することができる。これにより、コマンドに対する応答をどの程度待てばよいか判断でき、管理アプリケーションの構築や作成が容易になる。
【００５４】
なお、本発明はこれに限定されるものではなく、以下に示すようなものでもよい。
図１、図５、図７に示す装置において、センサノード１０（１）〜１０（ｎ）、基地局４０、監視装置３０のそれぞれは、何個でもよい。
【図面の簡単な説明】
【００５５】
【図１】本発明の第１の実施例を示した構成図である。
【図２】図１に示すシステムの動作の一例を示した図である。
【図３】図１に示すシステムの動作のその他の例を示した図である。
【図４】図１に示すシステムの動作のその他の例を示した図である。
【図５】本発明の第２の実施例を示した構成図である。
【図６】図５に示すシステムの動作の一例を示した図である。
【図７】本発明の第３の実施例を示した構成図である。
【図８】図７示すシステムの動作の一例を示した図である。
【図９】図７示すシステムの動作のその他の例を示した図である。
【図１０】従来の無線通信システムの構成を示した図である。
【図１１】図１０に示すシステムの動作の一例を示した図である。
【符号の説明】
【００５６】
１０（１）〜１０（ｎ）  センサノード
３０  監視装置
４０  基地局
４２  記憶手段
４３  プロキシ手段
４４  時刻出力手段
４５  起床時刻テーブル
【図１】
2006287918.tif 000003
【図２】
2006287918.tif 000004
【図３】
2006287918.tif 000005
【図４】
2006287918.tif 000006
【図５】
2006287918.tif 000007
【図６】
2006287918.tif 000008
【図７】
2006287918.tif 000009
【図８】
2006287918.tif 000010
【図９】
2006287918.tif 000011
【図１０】
2006287918.tif 000012
【図１１】
2006287918.tif 000013